(57)【特許請求の範囲】
【請求項１】
複数の副搬送路から入れ込まれる薄片を主搬送路に合流させて搬送する合流搬送部分と、前記合流搬送部分から入れ込まれる前記薄片を前記主搬送路に沿って搬送する主搬送部分とを有する薄片搬送装置であって、
前記主搬送部分を、上流側の取込部分と、下流側の送出部分と、前記取込部分と前記送出部分との間の中間部分と、前記取込部分の上面から前記送出部分の上面までに亙る長さをもつ上面側部材と、前記取込部分の下面から前記送出部分の下面までに亙る長さをもつ下面側部材とに分割して構成する分割構成手段と、
前記上面側部材と前記下面側部材とにより、前記取込部分・前記中間部分・前記送出部分を保持して、一体に形成する一体化構成手段と
を具備することを特徴とする薄片搬送装置。
【請求項２】
前記主搬送路に沿って対向させた１対の溝をもつ第１の差込部分を前記上面側部材に設け、
前記主搬送路に沿って対向させた１対の溝をもつ第２の差込部分を前記下面側部材に設け、
前記取込部分・前記中間部分・前記送出部分に、前記第１の差込部分の前記１対の溝に入れ込んで保持するための１対の突条をもつ第１の入込部分と、前記第２の差込部分の前記１対の溝に入れ込んで保持するため１対の突条をもつ第２の入込部分とを設け、
前記第１の差込部分に各前記第１の入込部分を、また、前記第２の差込部分に各前記第２の入込部分を入れ込むことにより、前記上面側部材と前記下面側部材とに、前記取込部分・前記中間部分・前記送出部分を組み付けるようにした請求項１記載の薄片搬送装置。
【請求項３】
前記主搬送部分における搬送を対向ベルト搬送機構で構成し、前記対向ベルト搬送機構の上流側に配置するプーリの軸受部分を前記取込部分の上流側の端部に着脱する第１の着脱部分と、前記対向ベルト搬送機構の下流側に配置するプーリの軸受部分を前記送出部分の下流側の端部に着脱する第２の着脱部分とを設けて構成した請求項１または請求項２記載の薄片搬送装置。
【請求項４】
請求項１から請求項３のいずれかに記載の薄片搬送装置を具備することを特徴とするパチンコ台島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台のパチンコ遊技機とその遊技球を貸付対価として入れ込まれた紙幣などを搬送する薄片搬送装置を設けたパチンコ台島装置などに関するものである。
【０００２】
【従来の技術】
パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図６のように、複数台配置して、１つのブロック状に構成したものをパチンコ台島装置５００という、このパチンコ台島装置５００は、パチンコ店の内部において、あたかも複数の「島」を配置したように見えるので、通称を「島」とも呼ばれている。
【０００３】
以下の図において、同一符号で示す部分は、いずれかの図において説明する同一符号の部分と同一の機能をもつ部分である。また、図中のごく太い線の部分は、その部分の端面または断面を略して画いた部分である。なお、この発明において部材とは、所要の各部を構成する構成材を言うものである。
【０００４】
そして、図６のように、パチンコ台の遊技に使用する遊技球の貸付対価として入れ込まれた紙幣、伝票、カード類などの薄片１００を搬送するための薄片搬送装置３００をパチンコ台島装置５００に組み付けた構成が周知である。
【０００５】
図６において、パチンコ台島装置５００には、複数台のパチンコ台Ｂを前列側と後列側とに分けて配置するとともに、パチンコ台Ｂ間の所要箇所に、パチンコ台Ｂに使用する遊技球、つまり、パチンコ玉を貸付けるための球貸装置（装置全体は図示せず）に入れ込まれた薄片１００を主搬送路Ｍにための副搬送路Ｓの部分を１つのブロック状に構成した副搬送部分Ｃを配置してある。なお、この発明において、上流側または下流側とは主搬送路Ｍにおける薄片１００の流れにおける上流側または下流側をいう。
【０００６】
また、前列側のパチンコ台Ｂと後列側のパチンコ台Ｂとの間の空間部分に主搬送路Ｍを構成する１つの主搬送路部分３００Ａを配置してあり、副搬送部分Ｃからの薄片１００を主搬送路部分３００Ａにより搬送して、例えば、主搬送路Ｍの終端に設けた収納箱１１０に薄片１００を収納する。
【０００７】
ここで、前列側と、後列側との区別は、構成を分かり易く説明するためのものであって、店内の配置などに関連づける意味のものではない。また、パチンコ台の列を前列側または後列側のみで構成したものも周知である。なお、この発明において、前側と後側とは、構成を分かり易くするためのものであって、装置が配置される状態との関係を言うものではない。
【０００８】
そして、パチンコ台Ｂの大きさなどの異なりに対する対応や、現場での薄片搬送装置３００の組み付けの容易化などのために、図１０〜図１４のように、主搬送路Ｍと副搬送路Ｓの合流箇所をブロック状にユニット化して構成した合流搬送部分２とし、各合流搬送部分２の間に配置される主搬送路Ｍの箇所をブロック状にユニット化して構成した主搬送部分４とに分けて配置することにより、主搬送部分４の長さＬ３のみを変更するだけで、各副搬送路Ｓの間の距離Ｌ１の変化に対応し得るようにした構成が周知である。なお、長さＬ２は副搬送部分Ｃの間の長さ、例えば、パチンコ台Ｂの長さである。
【０００９】
さらに、具体的な細部の構成は、例えば、図８のように、主搬送部分４における搬送構成を、対向して配置した同一速度で送行する２つの無端状のベルト４５Ａ・４５Ｂの間に薄片１００を挟み込んで搬送する機構（この発明において、対向ベルト搬送機構という）４２によって構成し、また、副搬送部分Ｃにおける搬送構成も同様の対向ベルト搬送機構によって構成してある。
【００１０】
主搬送部分４における対向ベルト搬送機構４２のベルト４５Ａ・４５Ｂに対する駆動構成は、図９のような歯車機構によって駆動されており、合流搬送部分２の底部側の保持板２ｚに配置した駆動モータ２６により歯車２６ａを介して回転させられる歯車２９〜２９ｄと連動する２つの歯車４６ａ・４６ｂの軸に設けた各駆動側プーリ４３Ａ・４３Ｂによりベルト４５Ａ・４５Ｂを駆動している。
【００１１】
そして、対向ベルト搬送機構４２のベルト４５Ａ・４５Ｂにより従動される従動側プーリ４４Ａ・４４Ｂを下流側の合流搬送部分２に近接した端部の位置に配置することにより、次順の合流搬送部分４に入れ込むようにしてある。なお、各対向ベルト搬送機構の対向するベルト、例えば、ベルト４５Ａ・４５Ｂの対向部分は、薄片１００が入り込む程度のごく僅かの隙間を設けるか、または、殆ど接触する状態になっている。
【００１２】
主搬送部分４の対向ベルト搬送機構４２は、上流側の合流搬送部分２から送り込まれる薄片１００を取り込む側の端部に設けた案内片５９Ａと、搬送した薄片１００を次順の合流搬送部分２に送り込む側の端部に設けた案内片５９Ｂとの部分を残して、適宜の保護覆４Ａで囲んである。
【００１３】
主搬送部分４は、図８〜図１０のように、合流搬送部分２に対して着脱できるようにしてあり、装着の際には、主搬送部分４に設けた案内片５９Ｂを合流搬送部分２の案内片２Ｂの部分に入れ込ませて、主搬送部分４の両端の底面側を合流搬送部分２から張り出した受止具２ａ・２ｂで保持するとともに、主搬送部分４の上面側から張り出した掛止具４７の穴４７Ａに、合流搬送部分２の上面側に設けた突起３０を入れ込んで保持させている。
【００１４】
副搬送部分Ｃから入れ込まれた薄片１００に対する合流搬送部分２での搬送構成は、薄片１００を、対向して配置したローラ（この発明において、対向ローラという）７１で取り込み、案内片２３とローラ２５Ａとで搬送して、下流側の主搬送部分４に設けた案内片５９Ａで案内して主搬送部分４に入れ込んでいる。この搬送構成は反対側の副搬送部分Ｃに対しても同様に対象形に配置してある。
【００１５】
案内導管８は、パチンコ台１００の大きさやパチンコ台島装置５００の配置の都合でパチンコ台島装置５００の幅Ｗが変化するので、案内導管８の長さを変えるだけで、幅Ｗに対応させ得るようにしたものである。
【００１６】
上流側の主搬送部分４から送り込まれた薄片１００に対する合流搬送部分２での搬送構成は、案内片２Ｂと対向ローラ２４とで搬送して下流側の主搬送部分４に入れ込むようにしている。
【００１７】
合流搬送部分２の上面側に設けた手動用つまみ２７Ｃは、歯車２９Ｄと歯車４６ｂとの噛み合わせ位置を調整するときや、合流搬送部分２の内部に薄片１００、例えば、紙幣が何らかの理由で停滞して詰まったときに、それを取り出す操作を行う場合などに、歯車機構全体を手動で回転させるためのものである。また、上方の歯車４６ａ・４６ｂの部分には保護覆９８を設けて、歯車の噛合部分に異物が入らないようにしている。
【００１８】
主搬送部分４の内部と保護覆４Ａとの部分の具体的な構造は、図１１のように、軸受を兼ねる上下のフレーム４１の部分をアルミニウムなどの金属材で形成するとともに、合成樹脂材で形成した覆用部材４８を下端側を支点として開閉可能に構成したものを保護覆４Ａとすることにより、内部の対向ベルト搬送機構４２の部分を露呈し得るようにして、薄片１００が何らかの理由で、対向ベルト搬送機構４２の部分で停滞状態になった場合に、薄片１００の取出操作を行えるにうに構成してある。
【００１９】
このほか、薄片１００の通過を検出するための検出器９９、例えば、赤外光の反射によるセンサと、ベルト４５Ａ・４５Ｂの途中部分で隙間が生じないように押えるためのローラ４３Ｃと、このローラ４３Ｃの部分での薄片１００を案内す案内片５８などが設けてある。
【００２０】
ローラ４３Ｃは、必要に応じて、図１２の〔単曲折構成〕のように、プーリ４３Ａ・４４Ａよりも後側に配置して、ベルト４５Ａ・４５Ｂの対向部分４２Ａを「へ字形」に曲折する場合と、図１２の〔蛇行状曲折構成〕のように、さらに、ローラ４３Ｃ・４３Ｄによって逆の「へ字形」にする部分を設けることにより、ベルト４５Ａ・４５Ｂの対向部分４２Ａを蛇行状に曲折する場合とがある。
【００２１】
【発明が解決しようとする課題】
上記の従来技術による構成では、合流搬送部分２と主搬送部分４とをブロック状にユニット化しているが、主搬送部分４は、例えば、図１１のように、フレーム４１を主体にして構成し、このフレーム４１に、全ての部材を取り付けるように構成している。
【００２２】
したがって、まず、主搬送部分４の長さＬ３が決定されないと、主搬送部分４の製造を行えないほか、その長さＬ３に合わせて、その都度、各部材の取付穴などの寸法を割り出してから、フレーム４１を加工しなければならないため、装置を簡便安価に提供できないという不都合がある。
このため、こうした不都合のない薄片搬送装置ならびにその利用装置、例えば、パチンコ台島装置の提供が望まれているという課題がある。
【００２３】
【課題を解決するための手段】
この発明は、上記のような
複数の副搬送路から入れ込まれる薄片を主搬送路に合流させて搬送する合流搬送部分と、上記の合流搬送部分から入れ込まれる上記の薄片を上記の主搬送路に沿って搬送する主搬送部分とを有する薄片搬送装置において、
【００２４】
上記の主搬送部分を、上流側の取込部分と、下流側の送出部分と、上記の取込部分と上記の送出部分との間の中間部分と、上記の取込部分の上面から上記の送出部分の上面までに亙る長さをもつ上面側部材と、上記の取込部分の下面から上記の送出部分の下面までに亙る長さをもつ下面側部材とに分割して構成する分割構成手段と、
【００２５】
上記の上面側部材と上記の下面側部材とにより、上記の取込部分・上記の中間部分・上記の送出部分を保持して、一体に形成する一体化構成手段と
を設ける第１の構成と、
【００２６】
この第１の構成において、
上記の主搬送路に沿って対向させた１対の溝をもつ第１の差込部分を上記の上面側部材に設け、
上記の主搬送路に沿って対向させた１対の溝をもつ第２の差込部分を上記の下面側部材に設け、
【００２７】
上記の取込部分・上記の中間部分・上記の送出部分に、上記の第１の差込部分の上記の１対の溝に入れ込んで保持するための１対の突条をもつ第１の入込部分と、上記の第２の差込部分の上記の１対の溝に入れ込んで保持するため１対の突条をもつ第２の入込部分とを設け、
【００２８】
上記の第１の差込部分に各上記の第１の入込部分を、また、上記の第２の差込部分に各上記の第２の入込部分を入れ込むことにより、上記の上面側部材と上記の下面側部材とに、上記の取込部分・上記の中間部分・上記の送出部分を組み付けるようにした第２の構成と、
【００２９】
上記の第１の構成または第２の構成において、上記の主搬送部分における搬送を対向ベルト搬送機構で構成し、上記の対向ベルト搬送機構の上流側に配置するプーリの軸受部分を上記の取込部分の上流側の端部に着脱する第１の着脱部分と、上記の対向ベルト搬送機構の下流側に配置するプーリの軸受部分を上記の送出部分の下流側の端部に着脱する第２の着脱部分とを設けて構成した第３の構成と、パチンコ台島装置に、上記の第１の構成〜第３の構成を設ける第４の構成とにより上記の課題を解決したものである。
【００３０】
【発明の実施の形態】
この発明の実施の形態として、上記の従来技術の構成にこの発明を適用した実施例を説明する。
【００３１】
【実施例】
〔第１実施例〕
以下、第１実施例を図１〜図５により説明する。この第１実施例の構成が上記の従来技術の構成と異なる箇所は次の箇所である。
【００３２】
第１には、図１のように、主搬送部分４を、図２のような上流側の取込部分４１０と、図３のような下流側の送出部分４２０と、これらの取込部分４１０と送出部分４２０との間に配置される図３のような中間部分４３０と、取込部分４１０の上面４１１から送出部分４２０の上面４２１までの長さＬ１１をもつ図１のような上面側部材４４０と、取込部分４１０の下面４１２から送出部分４２０の下面４２２まで長さＬ１２をもつ図１のような下面側部材４５０との複数の部材に分割して構成した箇所である。
【００３３】
第２には、図１のように、上面側部材４４０と下面側部材４５０とに、取込部分４１０・中間部分４３０・送出部分４２０を保持させて、一体に形成するようにした箇所である。
【００３４】
そして、まず、取込部分４１０は、図２のように、案内片５９Ａに連続して形成した上下対称形の案内用部材４１５Ａ・４１５Ｂと、これらの案内用部材４１５Ａ・４１５Ｂを所定の高さＨ１１にして固定するための前側固定板４１６Ａと後側固定板４１６Ｂとで構成してある。
【００３５】
案内用部材４１５Ａ・４１５Ｂは、例えば、ポリアセタール樹脂などの比較的に機械的強度の大きい合成樹脂材をモールド成形したものであり、また、前側固定板４１６Ａ・側固定板４１６Ｂは、例えば、耐食アルミニウム合金またはステンレス鋼の板材を加工して成形したものである。
【００３６】
案内用部材４１５Ａ・４１５Ｂには、それぞれ、基部Ｒ１に連続させて、複数のねじ穴Ｕ１を設けた横長四角形状の保持枠Ｖ１が配置してあり、そのねじ穴Ｕ１を用いて、前側固定板４１６Ａ・後側固定板４１６Ｂをねじ止め（図示せず）により固定している。そして、各保持枠Ｖ１の上流側に張り出した案内片５９Ａから下流側に張り出した案内片Ｓ１まで間の案内溝Ｔ１によって薄片１００の上下を案内している。
【００３７】
基部Ｒ１の前側と後側は、それぞれ、主搬送路Ｍの方向に沿った１対の突条ｒ１、例えば、コ字形の外形をもつ突条に形成してあり、この１対の突条ｒ１の箇所が入込部分Ｊになっている。上面側部材４４０と下面側部材４５０とには、主搬送路Ｍの方向に沿った対向する１対の溝Ｓｘ、例えば、コ字形の溝が形成してあり、この１対の溝Ｓｘが差込部分Ｋになっている。そして、入込部分Ｊを差込部分Ｋに入れ込むことにより、取込部分４１０が上面側部材４４０と下面側部材４５０とに組み付けられることになる。
【００３８】
取込部分４１０の上流側の端部、すなわち、上方側の案内用部材４１５Ａの上流側の端部と、下方側の案内用部材４１５Ｂの上流側の端部とに、上流側に向かって切り欠いた段付きの切欠穴Ｇ１を配置しておき、この切欠穴Ｇ１に、対向ベルト搬送機構４２の上流側に配置するプーリ４３Ａ・４３Ｂの軸受Ｆ１１・Ｆ１２を着脱できるように構成してある。すなわち、切欠穴Ｇ１と軸受Ｆ１１・Ｆ１２を着脱構造にしてある。
【００３９】
なお、上面側部材４４０・下面側部材４５０は、例えば、耐食アルミニウム合金を押出鋳造して成形したものであり、上面側部材４４０・下面側部材４５０の１対の溝Ｓｘの箇所から外側に前後に張り出した張出箇所４４０ｙ・４５０ｙは、上面側部材４４０・下面側部材４５０の前後方向の曲げ応力に対する強度を補強するためのリブである。
【００４０】
次に、中間部分４３０は、図３のように、案内用部材４１５Ａ・４１５Ｂの基部Ｒ１と同様の形状をもつ基部Ｒ２に、直線状の対向する案内片４３０Ａ・４３０Ｂとを設けて、上下対称形に形成した案内用部材４３５Ａ・４３５Ｂで構成してある。そして、案内用部材４３５Ａ・４３５Ｂは、例えば、ポリアセタール樹脂などの比較的に機械的強度の大きい合成樹脂材をモールド成形したものである。
【００４１】
各基部Ｒ２の部分の前側と後側は、案内用部材４１５Ａ・４１５Ｂの基部Ｒ１と同様に、それぞれ、主搬送路Ｍの方向に沿った１対の突条ｒ１に形成してあり、この１対の突条ｒ１の箇所が入込部分Ｊになっている。そして、入込部分Ｊを上面側部材４４０・下面側部材４５０の１対の溝Ｓｘによる差込部分Ｋに入れ込むことにより、中間部分４３０が上面側部材４４０と下面側部材４５０とに組み付けられることになる。
【００４２】
なお、上面側部材４４０・下面側部材４５０の保持部Ｐ１と対向する基部Ｒ２の面に設けた浅くて広い溝部分Ｑ１の部分は、上記の組み付けの際における保持部分Ｐ１と基部Ｒ２との間の摩擦分を低減するための逃げ溝である。
【００４３】
案内片４３０Ａ・４３０Ｂの間の溝４３０Ｃは、薄片１００が対向ベルト搬送機構４２により搬送される際に、薄片１００の上下の部分を案内するための溝であるが、溝の幅Ｂ１１を取込部分４１０の下流側の案内片Ｓ１を入れ込める幅にしてある。
【００４４】
案内片４３０Ａの前側に配置した直線上の取付片４３０Ｄと、案内片４３０Ｂの後側に配置した直線上の取付片４３０Ｅとは、図１１で述べた両側の保護覆４Ａになる覆用部材４８などを取り付けるためのもので、覆用部材４８などを他の方法で取り付ける場合には不要のものである。
【００４５】
次に、送出部分４２０は、図４のように、案内片５９Ｂに連続して形成した上下対称形の案内用部材４２５Ａ・４２５Ｂと、これらの案内用部材４２５Ａ・４２５Ｂを所定の高さＨ１１にして固定するための前側固定板４２６Ａと後側固定板４２６Ｂとで構成してある。
【００４６】
案内用部材４２５Ａ・４２５Ｂは、例えば、ポリアセタール樹脂などの比較的に機械的強度の大きい合成樹脂材をモールド成形したものであり、また、前側固定板４２６Ａ・側固定板４２６Ｂは、例えば、耐食アルミニウム合金またはステンレス鋼の板材を加工して成形したものである。
【００４７】
案内用部材４２５Ａ・４２５Ｂには、それぞれ、基部Ｒ３に連続させて、複数のねじ穴Ｕ３を設けた横長四角形状の保持枠Ｖ３が配置してあり、そのねじ穴Ｕ３を用いて、前側固定板４２６Ａ・後側固定板４２６Ｂをねじ止め（図示せず）により固定している。そして、各保持枠Ｖ３の下流側に張り出した案内片５９Ｂから上流側に張り出した案内片Ｓ３まで間の案内溝Ｔ３によって薄片１００の上下を案内している。
【００４８】
なお、案内溝Ｔ３は上流側の案内片Ｓ３の箇所に、中間部分４３０の案内片４３０Ａ・４３０Ｂが入り込める幅にしてあるので、その箇所から案内片５９Ｂの上流側の箇所までを先細形の溝に形成してある。
【００４９】
案内用部材４２５Ａ・４２５Ｂにおける基部Ｒ３の前側と後側には、案内用部材４１５Ａ・４１５Ｂの基部Ｒ１と同様に、それぞれ、主搬送路Ｍの方向に沿った１対の突条ｒ１に形成してあり、この１対の突条ｒ１の箇所が入込部分Ｊになっている。そして、入込部分Ｊを上面側部材４４０・下面側部材４５０の１対の溝Ｓｘによる差込部分Ｋに入れ込むことにより、送出部分４２０が上面側部材４４０と下面側部材４５０とに組み付けられることになる。
【００５０】
送出部分４２０の下流側の端部、すなわち、上方側の案内用部材４２５Ａの下流側の端部と、下方側の案内用部材４２５Ｂの下流側の端部とに、下流側に向かって切り欠いた段付きの切欠穴Ｇ３を配置しておき、この切欠穴Ｇ３に、対向ベルト搬送機構４２の下流側に配置するプーリ４４Ａ・４４Ｂの軸受Ｆ３１・Ｆ３２を着脱できるように構成してある。すなわち、切欠穴Ｇ３と軸受Ｆ３１・Ｆ３２を着脱構造にしてある。
【００５１】
したがって、図１のように、上面側部材４４０を取込部分４１０の上面４１１から送出部分４２０の上面４２１までに亙る長さＬ１１にし、下面側部材４５０を取込部分４１０の下面４１２から送出部分４２０の下面４２２までに亙る長さＬ１２にしておけば、プーリ４３Ａ・４３Ｂとプーリ４４Ａ・４４Ｂとにベルト４５Ａ・４５Ｂを架け渡して、取込部分４１０・中間部分４３０・送出部分４２０の順に一列に並べておき、取込部分４１０・中間部分４３０・送出部分４２０の各入込部分Ｊを上面側部材４４０・下面側部材４５０の差込部分Ｋに順次に入れ込めば、図１のように、一体の主搬送部分４として組み上げることができるわけである。
【００５２】
そして、長さＬ１１・Ｌ１２は、取込部分４１０の長さＬ５１と、送出部分４２０の長さＬ５３との全部が入り込む長さでなくとも、入込部分Ｊと差込部分Ｋとの重なり、すなわち、入り込んだ部分の長さが、これらの部分の機械的な保持に十分に耐え得る長さであればよいことは言うまでもない。したがって、長さＬ１１と長さＬ１２とは同一であっても、異なっていても差し支えないが、同一にした方が共用できるので加工と組付の両面で便利である。
【００５３】
また、取込部分４１０・中間部分４３０・送出部分４２０と上面側部材４４０・下面側部材４５０との間を、例えば、ねじ止め（図示せず）などにより固定できるようにしておけば、中間部分４３０の長さＬ５２を適宜に短くしておき、取込部分４１０・送出部分４２０の固定位置を変更して、上面側部材４４０・下面側部材４５０から出ている部分の長さＬ１２・Ｌ１３を増減するだけで、主搬送部分４の全体の長さＬ３を所要の長さにすることができるわけである。
【００５４】
なお、上面側部材４４０・下面側部材４５０は長さの長い素材を用意しておき、必要に応じて、所要の長さに加工すればよく、長さＬ３の細かい寸法の調整は、上記のように、取込部分４１０または送出部分４２０と上面側部材４４０・下面側部材４５０の固定位置を移動できる構成、例えば、ねじの取付穴を長穴にして適宜に移動した箇所で固定できるように構成しておくことにより、薄片搬送装置３００を組み付ける現場でも、簡単に寸法合わせできる。
【００５５】
また、例えば、図１１のローラ４３Ｃや検出器９９、図１２のローラ４３Ｃ〜４３Ｅなどを配置する場合には、図３の中間部分４３０を複数に分割した箇所に、主搬送路Ｍの方向に所要の間隔を設けておき、この間隔の箇所に、例えば、図６のような補助中間部分４６０を入れ込むことによって、これらのものを組み付けできる。
【００５６】
図６において、補助中間部分４６０は、上流側に配置された中間部分４３０の案内片４３０Ａ・４３０Ｂが入り込めるようにした案内片Ｓ４に連続して形成した上下対称形の案内用部材４４５Ａ・４４５Ｂを配置して構成してある。案内用部材４４５Ａ・４４５Ｂは、例えば、ポリアセタール樹脂などの比較的に機械的強度の大きい合成樹脂材をモールド成形したものである。
【００５７】
案内用部材４４５Ａ・４４５Ｂには、それぞれ、基部Ｒ４に連続させて、複数のねじ穴Ｕ４を設けた横長四角形状の保持枠Ｖ４が配置してあり、そのねじ穴Ｕ４に適宜の付属部材を固定するが、付属部材が無い場合には、ねじ穴Ｕ５の部分は除去してよい。なお、ローラ４３Ｃ〜４３Ｅのうちの任意のもの、例えば、ローラ４３Ｃの軸受Ｆ５１・Ｆ５２などを各保持枠Ｖ４に任意の部分に入れ込んで保持するようにしてある。
【００５８】
そして、各保持枠Ｖ４の下流側に張り出した案内片Ｓ５から上流側に張り出した案内片Ｓ３まで間の案内溝Ｔ４によって薄片１００の上下を案内している。なお、案内溝Ｔ４は、上流側の案内片Ｓ４の箇所に、上流側の中間部分４３０の案内片４３０Ａ・４３０Ｂが入り込める幅にし、また、下流側の案内片Ｓ５は下流側の中間部分４３０の案内片４３０Ａ・４３０Ｂが入り込める幅にしてあるので、その間の箇所を先細形の溝に形成してある。
【００５９】
案内用部材４４５Ａ・４４５Ｂにおける基部Ｒ４の前側と後側は、案内用部材４１５Ａ・４１５Ｂの基部Ｒ１と同様に、それぞれ、主搬送路Ｍの方向に沿った１対の突条ｒ１に形成してあり、この１対の突条ｒ１の箇所が入込部分Ｊになっている。そして、入込部分Ｊを上面側部材４４０・下面側部材４５０の１対の溝Ｓｘによる差込部分Ｋに入れ込むことにより、補助中間部分４６０が上面側部材４４０と下面側部材４５０とに組み付けられることになる。
【００６０】
したがって、この第１実施例の構成は、概括的には、第１には、
複数の副搬送路Ｓから入れ込まれる薄片１００を主搬送路Ｍに合流させて搬送する合流搬送部分２と、上記の合流搬送部分２から入れ込まれる上記の薄片１００を上記の主搬送路Ｍに沿って搬送する主搬送部分４とを有する薄片搬送装置３００において、
【００６１】
上記の主搬送部分４を、上流側の取込部分４１０と、下流側の送出部分４２０と、上記の取込部分４１０と上記の送出部分４２０との間の中間部分４３０と、上記の取込部分４１０の上面から上記の送出部分４２０の上面までに亙る長さＬ１１をもつ上面側部材４４０と、上記の取込部分４１０の下面から上記の送出部分４２０の下面までに亙る長さＬ１２をもつ下面側部材４５０とに分割して構成する分割構成手段と、
【００６２】
上記の上面側部材４４０と上記の下面側部材４５０とにより、上記の取込部分４１０・上記の中間部分４３０・上記の送出部分４２０を保持して、一体に形成する一体化構成手段と
を設けた上記の第１の構成を構成しているものである。
【００６３】
第２には、上記の第１の構成において、
上記の主搬送路４に沿って対向させた１対の溝Ｓｘをもつ第１の差込部分Ｋを上記の上面側部材４４０に設け、
上記の主搬送路Ｍに沿って対向させた１対の溝Ｓｘをもつ第２の差込部分Ｋを上記の下面側部材に設け、
【００６４】
上記の取込部分４１０・上記の中間部分４３０・上記の送出部分４２０に、上記の第１の差込部分Ｋの上記の１対の溝Ｓｘに入れ込んで保持するための１対の突条ｒ１をもつ第１の入込部分Ｊと、上記の第２の差込部分Ｋの上記の１対の溝Ｓｘに入れ込んで保持するため１対の突条ｒ１をもつ第２の入込部分Ｊとを設け、
【００６５】
上記の第１の差込部分Ｋに各上記の第１の入込部分Ｊを、また、上記の第２の差込部分Ｋに各上記の第２の入込部分Ｊを入れ込むことにより、上記の上面側部材４４０と上記の下面側部材４５０とに、上記の取込部分４１０・上記の中間部分４３０・上記の送出部分４２０を組み付けるようにした上記の第２の構成を構成しているものである。
【００６６】
第３には、上記の第１の構成または第２の構成において、上記の主搬送部分４における搬送を対向ベルト搬送機構４２で構成し、上記の対向ベルト搬送機構４２の上流側に配置するプーリ４３Ａ・４３Ｂの軸受部分Ｆ１１・Ｆ１２を上記の取込部分４１０の上流側の端部に着脱する第１の着脱部分（例えば、切欠穴Ｇ１）と、上記の対向ベルト搬送機構４２の下流側に配置するプーリ４４Ａ・４４Ｂの軸受部分Ｆ３１・Ｆ３２を上記の送出部分４２０の下流側の端部に着脱する第２の着脱部分（例えば、切欠穴Ｇ３）とを設けて構成した上記の第３の構成を構成しているものである。
【００６７】
〔第２実施例〕
以下、第２実施例を説明する。この第２実施例は、パチンコ台島装置５００に、上記の第１実施例による第１の構成〜第３の構成をもつ薄片搬送装置３００を設けて構成したものである。
【００６８】
したがって、この第２実施例の構成は、概括的には、パチンコ台島装置５００において、上記の第１の構成〜第３の構成の薄片搬送装置３００を設けた上記の第４の構成を構成していることになるものである。
【００６９】
〔変形実施〕
この発明はつぎのように変形して実施することを含むものである。
（１）ベルトとプーリの部分を、歯形付きのベルトとプーリ、すなわち、タイミングベルトとタイミングベルト用プーリに変更して構成する。
【００７０】
（２）案内導管８を除去して構成する。
（３）歯車４６ａ・４６ｂの部分には保護覆９８を設けて構成する。
（４）１対の溝Ｓｘと１対の突起ｒ１との形状を他の形状、例えば、半円形状、多角形状などに変更して構成する。
【００７１】
（５）軸受部分Ｆ１１・Ｆ１２または軸受部分Ｆ３１・Ｆ３２もしくはその両方をねじ止めなどの取り外し可能な固定構造に変更して構成する。
【００７２】
【発明の効果】
この発明によれは、以上のように、主搬送部分を取込部分・中間部分・送出部分に分割するとともに、これらの部分を取込部分から送出部分までに亙る長さの上面側部材と下面側部材とにより保持して一体化しているため、上面側部材・下面側部材との長さを加工するだけで所要の長さの主搬送部分を製造することができる。
【００７３】
また、細かい寸法の調整は取込部分または送出部分と上面側部材・下面側部材との固定部分を移動させるだけで済むので、現場での寸法合わせが容易に行い得るので、装置を簡便安価に提供し得るなどの特長が得られる効果がある。
【図面の簡単な説明】
図面中、図１〜図６はこの発明の実施例を、また、図７〜図１２は従来技術を示し、各図の内容は次のとおりである。
【図１】要部構成斜視図
【図２】要部構成斜視図
【図３】要部構成斜視図
【図４】要部構成斜視図
【図５】要部構成斜視図
【図６】要部構成斜視図
【図７】全体構成側面・横断平面図
【図８】要部構成横断平面図
【図９】要部構成斜視図
【図１０】要部構成正面図
【図１１】要部構成斜視図
【図１２】要部構成平面図
【符号の説明】
２  合流搬送部分
２Ｂ  案内片
２ａ  受止具
２ｂ  受止具
４  主搬送部
４Ａ  保護覆
８  案内導管
２３  案内片
２４  対向ローラ
２５Ａ  ローラ
２６  駆動モータ
２６ａ  歯車
２７Ｃ  手動用つまみ
２９〜２９Ｄ  歯車
３０  突起
４２  対向ベルト搬送機構
４３Ａ・４３Ｂ  プーリ
４３Ｃ〜４３Ｅ  ローラ
４４Ａ・４４Ｂ  プーリ
４５Ａ・４５Ｂ  ベルト
４６ａ・４６ｂ  歯車
４７  掛止具
４７Ａ  穴
５９Ａ・５９Ｂ  案内片
７１  対向ローラ
１００  薄片
１１０  収納箱
３００  薄片搬送装置
３００Ａ  主搬送路部分
４１０  取込部分
４１１  上面
４１２  下面
４１５Ａ・４１５Ｂ  案内用部材
４１６Ａ  前側固定板
４１６Ｂ  後側固定板
４２０  送出部分
４２１  上面
４２２  下面
４２５Ａ・４２５Ｂ  案内用部材
４２６Ａ  前側固定板
４２６Ｂ  後側固定板
４３０  中間部分
４３０Ａ・４３０Ｂ  案内片
４３０Ｃ  溝
４３０Ｄ・４３０Ｅ  取付片
４３５Ａ・４３５Ｂ  案内用部材
４４０  上面側部材
４４０ｙ  張出箇所
４４５Ａ・４４５Ｂ  案内用部材
４５０  下面側部材
４５０ｙ  張出箇所
４６０  補助中間部分
５００  パチンコ台島装置
Ｂ  パチンコ台
Ｂ１１  幅
Ｃ  副搬送部分
Ｆ１１・Ｆ１２  軸受
Ｆ３１・Ｆ３２  軸受
Ｇ１・Ｇ３  切欠穴
Ｈ１１  高さ
Ｊ  入込部分
Ｋ  差込部分
Ｌ１  距離
Ｌ２・Ｌ３  長さ
Ｌ１１〜Ｌ１３  長さ
Ｌ５１〜Ｌ５３  長さ
Ｍ  主搬送路
Ｐ１  保持部
Ｑ１  溝部分
Ｒ１〜Ｒ４  基部
ｒ１  突条
Ｓ  副搬送路
Ｓ１・Ｓ３・Ｓ５  案内片
Ｓｘ  溝
Ｔ１・Ｔ３・Ｔ４  案内溝
Ｕ１・Ｕ３・Ｕ４  ねじ穴
Ｖ１・Ｖ３・Ｖ４  保持枠
Ｗ  幅
【図１】
0004641607.tif 000002
【図２】
0004641607.tif 000003
【図３】
0004641607.tif 000004
【図４】
0004641607.tif 000005
【図５】
0004641607.tif 000006
【図６】
0004641607.tif 000007
【図７】
0004641607.tif 000008
【図８】
0004641607.tif 000009
【図９】
0004641607.tif 000010
【図１０】
0004641607.tif 000011
【図１１】
0004641607.tif 000012
【図１２】
0004641607.tif 000013